(57)【要約】【課題】パネル部材の破損を回避しつつ付属部品をパネル部材に比較的に簡単に取り付けることができるパネル部材ユニットおよび電子機器を提供する。また、そういったパネル部材ユニットおよび電子機器の実現に大いに貢献することができる取り付け部材を提供する。【解決手段】パネル部材ユニット１９は、パネル部材２４と、パネル部材２４の外周面に取り付けられる枠体２５とを備える。枠体２５には、パネル部材２４の外周面に重ね合わせられるブラケット３８が連結される。ブラケット３８には、付属部品を収容する収容部材４７が取り付けられる。こうしたパネル部材ユニット１９では、ブラケット３８や収容部材４７の取り付けにあたってパネル部材２４の裏面に直交する方向に力は作用しない。パネル部材２４の破損は確実に回避されることができる。しかも、ブラケット３８や収容部材４７はパネル部材２４に比較的に簡単に取り付けられることができる。【選択図】図４
2011022613.tif 000002
【特許請求の範囲】
【請求項１】
パネル部材と、パネル部材の外周面上で当該パネル部材に所定の連結機構で連結され、パネル部材の背後で付属部品を受け止める取り付け部材とを備えることを特徴とするパネル部材ユニット。
【請求項２】
請求項１に記載のパネル部材ユニットにおいて、前記パネル部材の外周面に取り付けられる枠体を備え、前記取り付け部材は枠体を介して前記パネル部材に連結されることを特徴とするパネル部材ユニット。
【請求項３】
請求項２に記載のパネル部材ユニットにおいて、前記連結機構は、前記外周面に直交する方向に枠体に形成されるねじ孔と、取り付け部材を貫通しつつねじ孔にねじ込まれるねじとを備えることを特徴とするパネル部材ユニット。
【請求項４】
請求項３に記載のパネル部材ユニットにおいて、前記取り付け部材は、前記外周面に重ね合わせられて、前記ねじで前記枠体に連結されるブラケットと、前記付属部品を収容し、パネル部材の裏面に延びる案内路に沿ってブラケット上を移動する収容部材と、案内路中で収容部材の移動を規制する規制機構とを備えることを特徴とするパネル部材ユニット。
【請求項５】
請求項４に記載のパネル部材ユニットにおいて、前記ブラケットには、前記裏面に直交する方向にねじ孔が形成されることを特徴とするパネル部材ユニット。
【請求項６】
請求項１に記載のパネル部材ユニットにおいて、前記パネル部材はディスプレイパネルであることを特徴とするパネル部材ユニット。
【請求項７】
請求項６に記載のパネル部材ユニットにおいて、前記付属部品には、前記ディスプレイパネルに接続されるインバータ基板が含まれることを特徴とするパネル部材ユニット。
【請求項８】
請求項７に記載のパネル部材ユニットにおいて、前記収容部材は絶縁材料から構成されることを特徴とするパネル部材ユニット。
【請求項９】
筐体と、筐体内に収容されるディスプレイパネルと、ディスプレイパネルの外周面上で当該ディスプレイパネルに所定の連結機構で連結され、ディスプレイパネルの背後で付属部品を受け止める取り付け部材とを備えることを特徴とする電子機器。
【請求項１０】
パネル部材の外周面上で当該パネル部材に連結され、パネル部材の背後で付属部品を受け止めることを特徴とする取り付け部材。
【発明の詳細な説明】
【技術分野】
【０００１】
本発明は、パネル部材と、パネル部材の外周面に取り付けられる枠体とを備えるパネル部材ユニットに関する。
【背景技術】
【０００２】
いわゆるノートブックパーソナルコンピュータ（以下「ノートパソコン」）は広く知られる。ノートパソコンは、機器本体に揺動自在に連結されるディスプレイ用筐体を備える。このディスプレイ用筐体にパネル部材ユニットすなわち液晶ディスプレイ（ＬＣＤ）パネルユニットが収容される。ＬＣＤパネルユニットには、パネル部材すなわちＬＣＤパネルに光を供給する蛍光管が組み込まれる。ＬＣＤパネルユニットには蛍光管に電力を供給するインバータ基板といった付属部品が接続される。
【先行技術文献】
【特許文献】
【０００３】
【特許文献１】特開２００３−２９２４４号公報
【特許文献２】特開２００３−１６７２３１号公報
【特許文献３】特開２００１−２５５５１１号公報
【発明の概要】
【発明が解決しようとする課題】
【０００４】
インバータ基板は、例えば特許文献２に記載されるように、ＬＣＤパネルの裏面のカバーに直接に取り付けられる。取り付けにあたってＬＣＤパネルのカバーにねじがねじ込まれる。こうしたねじはＬＣＤパネルの裏面に直交する方向にカバーにねじ込まれる。こうした方向にねじがねじ込まれるとＬＣＤパネルには大きな力が加わってしまう。ＬＣＤパネルは破損してしまうことが考えられる。したがって、インバータ基板の取り付けにあたって組立は慎重に実施されなければならない。組立効率の低下は避けられない。
【０００５】
その他、インバータ基板はディスプレイ用筐体に取り付けられることができる。こういった場合には、ＬＣＤパネルユニットの取り付けに先立ってディスプレイ用筐体にはインバータ基板が取り付けられる。続いて、インバータ基板には、ＬＣＤパネルユニットから延びる配線が接続される。この接続にあたってＬＣＤパネルユニットは作業台上で直立姿勢に保持されなければならない。あるいはＬＣＤパネルユニットは作業者の手で空中に保持されなければならない。作業性がよくない。
【０００６】
本発明は、上記実状に鑑みてなされたもので、パネル部材の破損を回避しつつ付属部品をパネル部材に比較的に簡単に取り付けることができるパネル部材ユニットおよび電子機器を提供することを目的とする。本発明は、そういったパネル部材ユニットおよび電子機器の実現に大いに貢献することができる取り付け部材を提供することを目的とする。
【課題を解決するための手段】
【０００７】
上記目的を達成するために、第１発明によれば、パネル部材と、パネル部材の外周面上で当該パネル部材に所定の連結機構で連結され、パネル部材の背後で付属部品を受け止める取り付け部材とを備えることを特徴とするパネル部材ユニットが提供される。
【０００８】
こうしたパネル部材ユニットでは、取り付け部材はパネル部材の外周面上で当該パネル部材に連結される。したがって、取り付け部材およびパネル部材の連結にあたって、パネル部材の裏面に直交する方向に力は作用しない。パネル部材の破損は確実に回避されることができる。取り付け部材は、例えばパネル部材の外周面に取り付けられる枠体を介してパネル部材に連結されればよい。
【０００９】
連結機構には、外周面に直交する方向に枠体に形成されるねじ孔と、取り付け部材を貫通しつつねじ孔にねじ込まれるねじとが用いられればよい。こうしてねじ孔は、パネル部材の外周面に直交する方向に枠体に形成される。したがって、ねじは、パネル部材の外周面に直交する方向にねじ込まれる。パネル部材の裏面に直交する方向に力は作用しない。
【００１０】
取り付け部材は、外周面に重ね合わせられて、ねじで枠体に連結されるブラケットと、付属部品を収容し、パネル部材の裏面に延びる案内路に沿ってブラケット上を移動する収容部材と、案内路中で収容部材の移動を規制する規制機構とを備えればよい。
【００１１】
こうしたパネル部材ユニットでは、ブラケットおよび収容部材の連結にあたって、収容部材は、パネル部材の裏面に延びる案内路に沿ってブラケット上を移動する。したがって、ブラケットおよび収容部材の連結にあたってパネル部材の裏面に直交する方向に力は作用しない。パネル部材の破損は確実に回避されることができる。規制機構に基づき案内路中で収容部材の移動は規制される。収容部材のブラケットからの離脱は阻止される。収容部材はブラケットに確実に保持されることができる。こうして収容部材はパネル部材に比較的に簡単に取り付けられることができる。
【００１２】
こうしたパネル部材ユニットでは、ブラケットにはパネル部材の裏面に直交する方向にねじ孔が形成されればよい。こうしたブラケットに基づき例えばねじで筐体といった被結合部材に結合されることができる。ブラケットは例えば板金から構成されればよい。
【００１３】
以上のようなパネル部材には例えばディスプレイパネルが用いられればよい。付属部品には、前記ディスプレイパネルに接続されるインバータ基板が含まれればよい。このとき、収容部材は絶縁材料から構成されればよい。こうして収容部材が絶縁材料から構成されれば、ディスプレイパネルおよびインバータ基板は確実に絶縁されることができる。
【００１４】
第２発明によれば、筐体と、筐体内に収容されるディスプレイパネルと、ディスプレイパネルの外周面上で当該ディスプレイパネルに所定の連結機構で連結され、ディスプレイパネルの背後で付属部品を受け止める取り付け部材とを備えることを特徴とする電子機器が提供される。
【００１５】
こうした電子機器では、取り付け部材はディスプレイパネルの外周面上で当該ディスプレイパネルに連結される。したがって、取り付け部材およびディスプレイパネルの連結にあたって、ディスプレイパネルの裏面に直交する方向に力は作用しない。ディスプレイパネルの破損は確実に回避されることができる。取り付け部材は、例えばディスプレイパネルの外周面に取り付けられる枠体を介してディスプレイパネルに連結されればよい。
【００１６】
連結機構には、外周面に直交する方向に枠体に形成されるねじ孔と、取り付け部材を貫通しつつねじ孔にねじ込まれるねじとが用いられればよい。こうしてねじ孔は、ディスプレイパネルの外周面に直交する方向に枠体に形成される。したがって、ねじは、ディスプレイパネルの外周面に直交する方向にねじ込まれる。ディスプレイパネルの裏面に直交する方向に力は作用しない。
【００１７】
取り付け部材は、外周面に重ね合わせられて、ねじで枠体に連結されるブラケットと、付属部品を収容し、ディスプレイパネルの裏面に延びる案内路に沿ってブラケット上を移動する収容部材と、案内路中で収容部材の移動を規制する規制機構とを備えればよい。
【００１８】
こうした電子機器では、ブラケットおよび収容部材の連結にあたって、収容部材は、ディスプレイパネルの裏面に延びる案内路に沿ってブラケット上を移動する。したがって、ブラケットおよび収容部材の連結にあたってディスプレイパネルの裏面に直交する方向に力は作用しない。ディスプレイパネルの破損は確実に回避されることができる。規制機構に基づき案内路中で収容部材の移動は規制される。収容部材のブラケットからの離脱は阻止される。収容部材はブラケットに確実に保持されることができる。こうして収容部材はディスプレイパネルに比較的に簡単に取り付けられることができる。
【００１９】
ブラケットには、ディスプレイパネルの裏面に直交する方向にねじ孔が形成されればよい。こうしたブラケットが例えばディスプレイパネルの外側に広がれば、ディスプレイパネルは例えばねじに基づき比較的に簡単に筐体に結合されることができる。しかも、結合にあたってディスプレイパネルの裏面に直交する方向に力は作用しない。ブラケットは例えば板金から構成されればよい。
【００２０】
以上のような電子機器では、付属部品には、ディスプレイパネルに接続されるインバータ基板が含まれればよい。このとき、収容部材は絶縁材料から構成されればよい。こうして収容部材が絶縁材料から構成されれば、ディスプレイパネルおよびインバータ基板は確実に絶縁されることができる。
【００２１】
第３発明によれば、パネル部材の外周面上で当該パネル部材に連結され、パネル部材の背後で付属部品を受け止めることを特徴とする取り付け部材が提供される。
【００２２】
こうした取り付け部材はパネル部材の外周面上で当該パネル部材に連結される。したがって、取り付け部材およびパネル部材の連結にあたって、パネル部材の裏面に直交する方向に力は作用しない。パネル部材の破損は確実に回避されることができる。取り付け部材は、例えばパネル部材の外周面を囲む枠体に所定の連結機構で連結されればよい。
【００２３】
連結機構には、外周面に直交する方向に枠体に形成されるねじ孔と、取り付け部材を貫通しつつねじ孔にねじ込まれるねじとが用いられればよい。こうしてねじ孔は、パネル部材の外周面に直交する方向に枠体に形成される。したがって、ねじは、パネル部材の外周面に直交する方向にねじ込まれる。パネル部材の裏面に直交する方向に力は作用しない。
【００２４】
取り付け部材は、外周面に重ね合わせられて、ねじで枠体に連結されるブラケットと、付属部品を収容し、パネル部材の裏面に延びる案内路に沿ってブラケット上を移動する収容部材と、案内路中で収容部材の移動を規制する規制機構とを備えればよい。
【００２５】
ブラケットおよび収容部材の連結にあたって、収容部材は、パネル部材の裏面に延びる案内路に沿ってブラケット上を移動する。したがって、ブラケットおよび収容部材の連結にあたってパネル部材の裏面に直交する方向に力は作用しない。パネル部材の破損は確実に回避されることができる。規制機構に基づき案内路中で収容部材の移動は規制される。収容部材のブラケットからの離脱は阻止される。収容部材はブラケットに確実に保持されることができる。こうして収容部材はパネル部材に比較的に簡単に取り付けられることができる。
【００２６】
ブラケットにはパネル部材の裏面に直交する方向にねじ孔が形成されればよい。こうしたブラケットに基づき例えばねじで筐体といった被結合部材に結合されることができる。ブラケットは例えば板金から構成されればよい。
【００２７】
以上のようなパネル部材には例えばディスプレイパネルが用いられればよい。付属部品には、前記ディスプレイパネルに接続されるインバータ基板が含まれればよい。このとき、収容部材は絶縁材料から構成されればよい。こうして収容部材が絶縁材料から構成されれば、ディスプレイパネルおよびインバータ基板は確実に絶縁されることができる。
【発明の効果】
【００２８】
以上のように本発明によれば、パネル部材の破損を回避しつつ付属部品をパネル部材に比較的に簡単に取り付けることができるパネル部材ユニットおよび電子機器は提供される。本発明によれば、そういったパネル部材ユニットおよび電子機器の実現に大いに貢献することができる取り付け部材は提供される。
【図面の簡単な説明】
【００２９】
【図１】図１は、電子機器すなわちノートブックパーソナルコンピュータ（ノートパソコン）の全体構成を概略的に示す斜視図である。
【図２】図２は、カバーおよびベースに組み付けられる液晶ディスプレイ（ＬＣＤ）パネルユニットの様子を概略的に示す分解斜視図である。
【図３】図３は、ＬＣＤパネルユニットの構造を概略的に示す分解斜視図である。
【図４】図４は、収容部材が取り付けられた状態のＬＣＤパネルユニットの構造を概略的に示す斜視図である。
【図５】図５は、ＬＣＤパネルに取り付けられるブラケットの構造を概略的に示す斜視図である。
【図６】図６は、ブラケットに収容部材が取り付けられる際に収容部材の様子を概略的に示す部分分解斜視図である。
【図７】図７は、図４の７−７線に沿った断面図であり、ブラケットに収容部材が取り付けられる際に収容部材の様子を概略的に示す図である。
【図８】図８は、収容部材およびインバータ基板の構造を概略的に示す分解斜視図である。
【図９】図９は、カバーに取り付けられる金属板の構造を示すカバーの平面図である。
【図１０】図１０は、ブラケットに収容部材が取り付けられる際に収容部材の様子を概略的に示すＬＣＤパネルユニットの斜視図である。
【図１１】図１１は、図７に対応し、ブラケットに収容部材が取り付けられる際に収容部材の様子を概略的に示す断面図である。
【図１２】図１２は、収容部材が取り付けられた状態のＬＣＤパネルユニットの構造を概略的に示す斜視図である。
【発明を実施するための形態】
【００３０】
以下、添付図面を参照しつつ本発明の一実施形態を説明する。
【００３１】
図１は電子機器すなわちノートブックパーソナルコンピュータ（いわゆるノートパソコン）１１の外観を概略的に示す。このノートパソコン１１は、薄型の機器本体１２と、所定の回転軸１３回りで揺動自在に機器本体１２に連結されるディスプレイ用筐体１４とを備える。機器本体１２の筐体内にはいわゆるマザーボード（図示されず）が組み込まれる。周知の通り、マザーボードには例えばＣＰＵ（中央演算処理装置）やメモリといった主要な処理回路が実装される。ＣＰＵは、例えばメモリに一時的に取り込まれるＯＳ（オペレーティングシステム）やアプリケーションソフトウェアに基づき演算処理を実施する。ＣＰＵの演算処理にあたって、使用者は、機器本体１２に搭載されるキーボード１５やポインティングデバイス１６といった入力装置から様々なデータや指令を入力することができる。
【００３２】
ディスプレイ用筐体１４は、ベース１７と、ベース１７に覆い被さるカバー１８とを備える。カバー１８およびベース１７の間には、長方形の液晶ディスプレイ（ＬＣＤ）パネルユニット１９が収容される。ＬＣＤパネルユニット１９の画面上にはＣＰＵの演算処理に基づきグラフィックスやテキストが映し出される。カバー１８やベース１７は例えばポリカーボネートといった樹脂材料やマグネシウムといった金属材料から成型されればよい。
【００３３】
図２に示されるように、カバー１８とベース１７との結合にあたってディスプレイ用筐体１４には複数本のねじ２１がねじ込まれる。ねじ２１の中心軸はＬＣＤパネルユニット１９の画面に直交する方向に配置される。ねじ２１はディスプレイ用筐体１４の正面から差し込まれる。ねじ２１の差し込みにあたって、ディスプレイ用筐体１４の正面には貫通孔２２が区画されればよい。貫通孔２２は例えば化粧材（図示されず）で覆われればよい。
【００３４】
ＬＣＤパネルユニット１９は、ＬＣＤパネル２４と、ＬＣＤパネル２４の外周面を囲む枠体すなわちベゼル２５とから構成される。ＬＣＤパネルユニット１９には、ベゼル２５の外周面から外側に広がる突片２６が区画される。突片２６には、前述のねじ２１を受け入れるねじ孔２７が形成される。すなわち、ねじ孔２７は、ＬＣＤパネル２４の画面に直交する方向に形成される。その一方で、ベース１７には、ねじ２１を受け入れるねじ孔２８が形成される。こうしてＬＣＤパネルユニット１９およびカバー１８並びにベース１７の結合は確立される。
【００３５】
図３に示されるように、ＬＣＤパネルユニット１９では、ベゼル２５で区画される収容空間に矩形のＬＣＤパネル２４が収容される。このＬＣＤパネル２４は例えば１対のガラス基板の間で液晶セルを構成する。各液晶セルは表示画面の画素に対応する。ＬＣＤパネル２４の背面には、拡散板２９、プリズム板３１、導光板３２および反射板３３といったパネル形のモジュール部品が順番に重ね合わせられる。導光板３２の一端には２本の蛍光管３４、３４が隣接して配置される。周知の通り、蛍光管３４から放射される光は導光板３２の働きでＬＣＤパネル２４の全体に一様に行き着くことができる。反射板３３の背後には表示制御用の回路基板３５が配置される。この回路基板３５は前後１対の絶縁性シート３６ａ、３６ｂに挟み込まれる。回路基板３５にはフレキシブルプリント基板３７が接続される。ベゼル２５は、重ね合わせられたＬＣＤパネル２４、モジュール部品２９、３１、３２、３３および絶縁性シート３６ａ、３６ｂを相互に結合する。ベゼル２５は１部材でもよく、複数部材に分割されてもよい。
【００３６】
図４に示されるように、ＬＣＤパネルユニット１９には１対のブラケット３８、３８が取り付けられる。１対のブラケット３８、３８は、連結機構４１に基づきＬＣＤパネル２４の外周面すなわち短辺側の側面に取り付けられる。ブラケット３８は、ＬＣＤパネル２４の裏面に沿って延びる第１平板部材４２を備える。第１平板部材４２はＬＣＤパネル２４の短辺に沿って延びる。第１平板部材４２には、第１平板部材４２から折れ曲がる１対の第２平板部材４３が一体に形成される。第２平板部材４３は前述の突片２６に相当する。第２平板部材４３は、ＬＣＤパネル２４の外周面すなわち長辺側の側面から直立する。個々の第２平板部材４３には前述のねじ孔２７が穿たれる。ねじ孔２７は、ＬＣＤパネル２４の裏面に直交する方向に形成される。
【００３７】
ブラケット３８は例えば亜鉛めっき処理鋼板といった板金から構成されればよい。板金の採用によれば、薄型化にも拘わらず十分な強度は確保されることができる。しかも、ブラケット３８では、ＥＳＤ（静電放電）効果やＥＭＩ（電磁波シールド）効果、放熱効果は発揮されることができる。
【００３８】
第１平板部材４２には、同様に、ＬＣＤパネル２４の裏面に沿って延びる第３平板部材４４が一体に形成される。第３平板部材４４同士はＬＣＤパネル２４の裏面で相互に接近する。第３平板部材４４にはＬＣＤパネル２４の裏面に平行に延びる板片４５が一体に形成される。板片４５は、段差に基づきＬＣＤパネル２４の裏面から離隔して配置される。
【００３９】
板片４５、４５の間には、付属部品すなわちインバータ基板４６を収容する収容部材４７が連結される。インバータ基板４６は収容部材４７の収容空間に嵌め込まれる。ここでは、収容部材４７およびＬＣＤパネル２４の間には所定の隙間が形成されればよい。収容部材４７は例えば樹脂材料といった絶縁材料から成型されればよい。収容部材４７はインバータ基板４６およびＬＣＤパネル２４の間に配置される。インバータ基板４６およびＬＣＤパネル２４は確実に絶縁されることができる。
【００４０】
インバータ基板４６には、電圧を瞬間的に引き上げるトランス（図示されず）が組み込まれる。こうしたインバータ基板４６は、ＬＣＤパネルユニット１９内に組み込まれる蛍光管３４に交流電流を供給する。インバータ基板４６および蛍光管３４は例えば配線４８およびコネクタ４９、４９に基づき接続される。配線４８はＬＣＤパネル２４の短辺側の側面に沿ってＬＣＤパネルユニット１９内に延びる。その一方で、インバータ基板４６から延びる配線５１はコネクタ５２に基づき例えば機器本体１２内のマザーボードに接続される。コネクタ５２には、前述されるように、回路基板３５に向かって延びるフレキシブルプリント基板３７が接続される。機器本体１２のマザーボードからフレキシブルプリント基板３７を通じて供給される駆動信号は、回路基板３５上に構築される表示制御回路に取り込まれる。表示制御回路は、供給される駆動信号に基づき各液晶セルの動作を制御する。
【００４１】
図５に示されるように、第１平板部材４２には、第１平板部材４２から折れ曲がる複数の固定部材５３が一体に形成される。固定部材５３はＬＣＤパネル２４の短辺側の側面に重ね合わせられる。個々の固定部材５３には締結用の貫通孔５４が穿たれる。この貫通孔５４に応じてベゼル２５の側面にはねじ孔５５が穿たれる。すなわち、ねじ孔５５はＬＣＤパネル２４の外周面に直交する方向に形成される。ねじ５６は貫通孔５４を貫通した後にねじ孔５５にねじ込まれる。こうしてブラケット３８はＬＣＤパネル２４に固定される。ねじ孔５５およびねじ５６は本発明の連結機構４１として機能する。
【００４２】
次に、ブラケット３８および収容部材４７の連結構造を詳細に説明する。図６に示されるように、収容部材４７には、側壁４７ａから外側に向かって延びる１対の第１板片６１、６１が区画される。第１板片６１、６１の表面には１水平面が規定される。一方の第１板片６１には、その表面から直立する第２板片６２が接続される。ここでは、第２板片６２は収容部材４７の側壁４７ａに一端で接続される。第１板片６１の表面には、収容部材４７の側壁４７ａから外側に向かって延びる第３板片６３が向き合わせられる。第３板片６３は第１板片６１、６１に平行に延びる。第３板片６３は弾性変形することができる。第３板片６３の下面には、図７に示されるように、第１板片６１、６１に向かって盛り上がる突起部６３ａが形成される。収容部材４７およびブラケット３８の連結にあたって、突起部６３ａは、板片４５に規定される溝６４内に受け入れられる。同時に、板片４５の下面は第１板片６１、６１の表面すなわち１水平面に受け止められる。板片４５の側面は第２板片６２に受け止められる。板片４５の先端は側壁４７ａに受け止められる。こうしてブラケット３８および収容部材４７の連結は確立される。ただし、第１板片６１、６１は例えば１つの板片から構成されてもよい。
【００４３】
次に、インバータ基板４６および収容部材４７の嵌め込み構造を詳細に説明する。図８に示されるように、収容部材４７の側壁４７ａおよび底板４７ｂには１対の切り欠き６５、６５が形成される。個々の切り欠き６５には、側壁４７ａから延びる突壁４７ｃが配置される。この突壁４７ｃには収容空間に向かって突起すなわち爪４７ｄが突き出る。インバータ基板４６が収容部材４７の収容空間に受け入れられると、インバータ基板４６は爪４７ｄに押し当てられる。このとき、突壁４７ｃは収容部材４７の外側に向かって弾性変形する。インバータ基板４６がさらに収容空間に押し込まれると、爪４７ｄはインバータ基板４６に引っ掛けられる。こうしてインバータ基板４６は収容部材４７に嵌め込まれる。
【００４４】
図９に示されるように、ベース１７には平板状の金属板７１が取り付けられる。金属板７１の両側には、ベース１７の短辺側の側壁に向かって突き出る複数の第１フィン７２が区画される。金属板７１の下側には、ベース１７の長辺側の側壁に向かって突き出る１対の第２フィン７３が区画される。同様に、金属板７１の下側には、ベース１７の長辺側の側壁に向かって突き出る第３フィン７４が区画される。第１および第２フィン７２、７３は、ベース１７から離れる方向に湾曲する。ベース１７では、第３フィン７４に対応する位置に窪み７６が区画される。窪み７６内では、第３フィン７４はカバー１７に近づく方向に湾曲する。窪み７６にはＬＣＤパネル２４に取り付けられる収容部材５１が受け入れられる。こうした金属板７１には例えばアルミニウムといった金属材料が用いられればよい。
【００４５】
ベース１７にＬＣＤパネルユニット１９が取り付けられると、ＬＣＤパネルユニット１９は金属板７１に向かって押し付けられる。こうして第１フィン７２はブラケット３８の第１平板部材４２に弾性的に接触する。同様に、第２フィン７３は第３平板部材４４に弾性的に接触する。第３フィン７４には、収容部材４７に収容されるインバータ基板４６が向き合わせられる。こうしてＬＣＤパネル２４やインバータ基板４６からの熱は金属板７１に伝導する。金属板７１はカバー１７のほぼ全面にわたって広がることから、熱は効率的に拡散されることができる。しかも、金属板７１は電磁波シールドの役割を果たすことができる。
【００４６】
次に、ＬＣＤパネルユニット１９の組立工程を簡単に説明する。図１０に示されるように、まず、ベゼル２５の外周面にブラケット３８がねじ５６に基づき取り付けられる。その後、フレキシブルプリント基板３７がコネクタに基づき回路基板３５に接続される。フレキシブルプリント基板３７から延びる配線５１やコネクタ５２はＬＣＤパネル２４から外側に引き出される。
【００４７】
その後、収容部材４７は、ＬＣＤパネル２４の外側からＬＣＤパネル２４の裏面に平行に板片４５に差し込まれる。収容部材４７の収容空間には予めインバータ基板４６が嵌め込まれればよい。同様に、インバータ基板４６にはコネクタ４９や配線５１から延びるコネクタが予め接続されればよい。図１１に示されるように、第１板片６１は板片４５の下面に沿って案内されつつスライドする。第３板片６３の突起部６３ａは板片４５の表面に受け止められる。第３板片６３は弾性変形する。収容部材４７がさらに押し込まれると、第１板片６１および第３板片６３は板片４５に平行に移動する。こうして板片４５上には第１板片６１および第３板片６３すなわち収容部材４７の案内路が規定される。
【００４８】
その後、図７に示されるように、突起部６３ａは板片４５の溝６４に嵌め込まれる。案内路に沿って収容部材４７の移動は規制される。収容部材４７の離脱は阻止される。すなわち、突起部６１ａおよび溝６４は本発明の規制機構として機能する。同時に、第２板片６２は板片４５の側面に受け止められる。このとき、収容部材４７の側壁４７ａは板片４５の先端で案内路に直交する方向に向き合わせられる。収容部材４７の動きは規制される。こうして収容部材４７およびブラケット３８の連結は確立される。ブラケット３８および収容部材４７は本発明の取り付け部材として機能する。こうしてＬＣＤパネルユニット１９は組み立てられる。
【００４９】
組み立てられたＬＣＤパネルユニット１９は裏返されつつベース１７に取り付けられる。このとき、フレキシブルプリント基板３７はＬＣＤパネル２４および収容部材４７の間に挟み込まれることから、フレキシブルプリント基板３７や配線５１、コネクタ５２のばたつきは回避されることができる。ＬＣＤパネルユニット１９はベース１７に比較的に簡単に重ね合わせられる。ＬＣＤパネルユニット１９およびベース１７にはカバー１８が被せられる。こうしてディスプレイ用筐体１４は完成する。その後、配線５１およびコネクタ５２は機器本体１２内のマザーボードに接続される。
【００５０】
以上のようなＬＣＤパネルユニット１９ではブラケット３８および収容部材４７はＬＣＤパネル２４の外周面でベゼル２５に固定される。固定にあたって、外周面に直交する方向にねじ５６はねじ込まれる。しかも、ブラケット３８および収容部材４７の連結にあたって収容部材４７は板片４５上の案内路に沿ってブラケット３８上を移動する。収容部材４７はＬＣＤパネル２４の裏面に平行に移動する。したがって、ブラケット３８および収容部材４７の取り付けにあたってＬＣＤパネル２４の裏面に直交する方向に力は作用しない。ＬＣＤパネル２４の破損は確実に回避されることができる。しかも、インバータ基板４６といった付属部品は収容部材４７に嵌め込まれる。収容部材４７は、前述されるように、例えばねじやねじ孔といった連結機構を用いずにブラケット３８に取り付けられる。ＬＣＤパネル２４に比較的に簡単に取り付けられることができる。
【００５１】
従来のＬＣＤパネルユニットには例えば１本の蛍光管が組み込まれる。その一方で、近年のＬＣＤパネルユニットには２本の蛍光管が組み込まれる。インバータ基板内では例えば２つのトランスや回路基板が必要とされる。インバータ基板はこれまでに比べて大型化してしまう。しかしながら、本発明のＬＣＤパネルユニット１９では、インバータ基板４６を受け止める収容部材４７はＬＣＤパネル２４の背後に取り付けられる。ディスプレイ用筐体１４の外形は小型化されることができる。その一方で、従来のように、ＬＣＤパネル２４の外周面に隣り合わせでインバータ基板が配置されると、ディスプレイ用筐体の輪郭は大型化してしまう。
【００５２】
以上のようなＬＣＤパネルユニット１９では、例えば第３平板部材４４は省略されてもよい。この場合、例えば第１平板部材４２に直接に板片４５が形成されればよい。収容部材４７の横幅は板片４５、４５同士の間の距離に合わせて設定されればよい。また、収容部材４７は例えばＬＣＤパネル２４の背後で全面にわたって広がってもよい。この場合、カバー１８では窪み７６の大きさは収容部材４７に合わせて設定されればよい。付属部品には、インバータ基板４６以外に例えばアンテナといったアンテナ関連部品やリモコン受光部といったリモコン関連部品、その他の様々な付属部品が含まれる。以上のような筐体１４にはＬＣＤパネル２４以外にいかなるパネル部材が組み込まれてもよい。筐体１４はノートパソコン以外の電子機器に利用されてもよい。
【００５３】
以上のようなＬＣＤパネルユニット１９では収容部材４７およびブラケット３８の連結にあたって例えばねじや接着剤が用いられてもよい。こういった場合には、収容部材４７およびブラケット３８の連結が確立された後に、ベゼル２５の外周面にブラケット３８がねじ５６で取り付けられればよい。したがって、ＬＣＤパネルユニット１９の組み立てにあたって、ＬＣＤパネル２４の外周面に直交する方向からＬＣＤパネル２４の外周面にだけ力は作用する。ＬＣＤパネル２４の破損は確実に回避されることができる。
【００５４】
以上のように収容部材４７およびブラケット３８が別部品で構成されれば、ブラケット３８だけが簡単に交換されることができる。ＬＣＤパネル２４の大きさや形状ごとにブラケット３８が用意されれば、収容部材４７は様々大きさや形状のＬＣＤパネル２４に確実に取り付けられることができる。
【００５５】
その他、例えば図１２に示されるように、収容部材４７およびブラケット３８は一体化されてもよい。こういった一体化にあたって収容部材４７およびブラケット３８は例えば樹脂材料に基づき一体成型されればよい。前述のように連結機構に基づきブラケット３８がベゼル２５に連結されれば、収容部材４７はＬＣＤパネル２４の背後に取り付けられることができる。したがって、ＬＣＤパネルユニット１９の組み立てにあたって、ＬＣＤパネル２４の外周面に直交する方向からＬＣＤパネル２４の外周面にだけ力は作用する。ＬＣＤパネル２４の破損は確実に回避されることができる。しかも、こうして収容部材４７およびブラケット３８が１部品で構成されれば、部品単価や組立工賃は低減されることができる。その結果、製品コストは低減されることができる。一般に、携帯電話機や携帯情報端末といった電子機器に用いられる軽量小型のＬＣＤパネルユニットには精密な造形が要求される。樹脂材料に基づく一体成型によれば、ブラケット３８は精緻な造形で形作られることができる。この場合には、ブラケット３８の取り付けにあたって、前述のねじ５６に代えて例えば両面接着テープが用いられてもよい。
【００５６】
（付記１）  パネル部材と、パネル部材の外周面上で当該パネル部材に所定の連結機構で連結され、パネル部材の背後で付属部品を受け止める取り付け部材とを備えることを特徴とするパネル部材ユニット。
【００５７】
（付記２）  付記１に記載のパネル部材ユニットにおいて、前記パネル部材の外周面に取り付けられる枠体を備え、前記取り付け部材は枠体を介して前記パネル部材に連結されることを特徴とするパネル部材ユニット。
【００５８】
（付記３）  付記２に記載のパネル部材ユニットにおいて、前記連結機構は、前記外周面に直交する方向に枠体に形成されるねじ孔と、取り付け部材を貫通しつつねじ孔にねじ込まれるねじとを備えることを特徴とするパネル部材ユニット。
【００５９】
（付記４）  付記３に記載のパネル部材ユニットにおいて、前記取り付け部材は、前記外周面に重ね合わせられて、前記ねじで前記枠体に連結されるブラケットと、前記付属部品を収容し、パネル部材の裏面に延びる案内路に沿ってブラケット上を移動する収容部材と、案内路中で収容部材の移動を規制する規制機構とを備えることを特徴とするパネル部材ユニット。
【００６０】
（付記５）  付記４に記載のパネル部材ユニットにおいて、前記ブラケットには、前記裏面に直交する方向にねじ孔が形成されることを特徴とするパネル部材ユニット。
【００６１】
（付記６）  付記４に記載のパネル部材ユニットにおいて、前記ブラケットは板金で構成されることを特徴とするパネル部材ユニット。
【００６２】
（付記７）  付記１に記載のパネル部材ユニットにおいて、前記パネル部材はディスプレイパネルであることを特徴とするパネル部材ユニット。
【００６３】
（付記８）  付記７に記載のパネル部材ユニットにおいて、前記付属部品には、前記ディスプレイパネルに接続されるインバータ基板が含まれることを特徴とするパネル部材ユニット。
【００６４】
（付記９）  付記８に記載のパネル部材ユニットにおいて、前記収容部材は絶縁材料から構成されることを特徴とするパネル部材ユニット。
【００６５】
（付記１０）  筐体と、筐体内に収容されるディスプレイパネルと、ディスプレイパネルの外周面上で当該ディスプレイパネルに所定の連結機構で連結され、ディスプレイパネルの背後で付属部品を受け止める取り付け部材とを備えることを特徴とする電子機器。
【００６６】
（付記１１）  付記１０に記載の電子機器において、前記ディスプレイパネルの外周面に取り付けられる枠体を備え、前記取り付け部材は枠体を介して前記ディスプレイパネルに連結されることを特徴とする電子機器。
【００６７】
（付記１２）  付記１１に記載の電子機器において、前記連結機構は、前記外周面に直交する方向に枠体に形成されるねじ孔と、取り付け部材を貫通しつつねじ孔にねじ込まれるねじとを備えることを特徴とする電子機器。
【００６８】
（付記１３）  付記１２に記載の電子機器において、前記取り付け部材は、前記外周面に重ね合わせられて、前記ねじで前記枠体に連結されるブラケットと、前記付属部品を収容し、ディスプレイパネルの裏面に延びる案内路に沿ってブラケット上を移動する収容部材と、案内路中で収容部材の移動を規制する規制機構とを備えることを特徴とする電子機器。
【００６９】
（付記１４）  付記１３に記載の電子機器において、前記ブラケットには、前記裏面に直交する方向にねじ孔が形成されることを特徴とする電子機器。
【００７０】
（付記１５）  付記１３に記載の電子機器において、前記ブラケットは板金で構成されることを特徴とする電子機器。
【００７１】
（付記１６）  付記１０に記載の電子機器において、前記付属部品には、前記ディスプレイパネルに接続されるインバータ基板が含まれることを特徴とする電子機器。
【００７２】
（付記１７）  付記１３に記載の電子機器において、前記収容部材は絶縁材料から構成されることを特徴とする電子機器。
【００７３】
（付記１８）  付記１０に記載の電子機器において、処理回路を搭載した機器本体を備え、前記筐体は機器本体に揺動自在に連結されることを特徴とする電子機器。
【００７４】
（付記１９）  パネル部材の外周面上で当該パネル部材に連結され、パネル部材の背後で付属部品を受け止めることを特徴とする取り付け部材。
【００７５】
（付記２０）  付記１９に記載の取り付け部材において、前記パネル部材の外周面に取り付けられる枠体に所定の連結機構で連結されることを特徴とする取り付け部材。
【００７６】
（付記２１）  付記２０に記載の取り付け部材において、前記連結機構は、前記外周面に直交する方向に枠体に形成されるねじ孔と、当該取り付け部材を貫通しつつねじ孔にねじ込まれるねじとを備えることを特徴とする取り付け部材。
【００７７】
（付記２２）  付記２１に記載の取り付け部材において、前記取り付け部材は、前記外周面に重ね合わせられて、前記ねじで前記枠体に連結されるブラケットと、前記付属部品を収容し、パネル部材の裏面に延びる案内路に沿ってブラケット上を移動する収容部材と、案内路中で収容部材の移動を規制する規制機構とを備えることを特徴とする取り付け部材。
【００７８】
（付記２３）  付記２２に記載の取り付け部材において、前記ブラケットには、前記裏面に直交する方向にねじ孔が形成されることを特徴とする取り付け部材。
【００７９】
（付記２４）  付記２２に記載の取り付け部材において、前記ブラケットは板金で構成されることを特徴とする取り付け部材。
【００８０】
（付記２５）  付記１９に記載の取り付け部材において、前記パネル部材はディスプレイパネルであることを特徴とする取り付け部材。
【００８１】
（付記２６）  付記２５に記載の取り付け部材において、前記付属部品には、前記ディスプレイパネルに接続されるインバータ基板が含まれることを特徴とする取り付け部材。
【００８２】
（付記２７）  付記２６に記載の取り付け部材において、前記収容部材は絶縁材料から構成されることを特徴とする取り付け部材。
【符号の説明】
【００８３】
１１  ノートブックパーソナルコンピュータ（電子機器）、１４  ディスプレイ用筐体（筐体）、１９  ＬＣＤパネルユニット、２４  ＬＣＤパネル（パネル部材、ディスプレイパネル）、２５  ベゼル（枠体）、３８  ブラケット（取り付け部材）、４６  インバータ基板（付属部品）、４７  収容部材（取り付け部材）、５５  ねじ孔（連結機構）、５６  ねじ（連結機構）、６３ａ  突起部（規制機構）、６４  溝（規制機構）。
【図１】
2011022613.tif 000003
【図２】
2011022613.tif 000004
【図３】
2011022613.tif 000005
【図４】
2011022613.tif 000006
【図５】
2011022613.tif 000007
【図６】
2011022613.tif 000008
【図７】
2011022613.tif 000009
【図８】
2011022613.tif 000010
【図９】
2011022613.tif 000011
【図１０】
2011022613.tif 000012
【図１１】
2011022613.tif 000013
【図１２】
2011022613.tif 000014
【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
筐体と、
前記筐体内に収容されるディスプレイパネルと、
前記ディスプレイパネルの外周面に重ね合わせられて前記外周面上で当該ディスプレイパネルに所定の連結機構で連結されるブラケットと、
前記ディスプレイパネルの背後で付属部品を収容し、前記ディスプレイパネルの裏面に延びる案内路に沿って前記ブラケット上を移動する収容部材と、
前記案内路中で前記収容部材の移動を規制する規制機構と、
前記ディスプレイパネルの外周面に取り付けられる枠体とを備え、
前記ブラケットは前記枠体を介して前記ディスプレイパネルに連結されることを特徴とする電子機器。
【請求項２】
請求項１に記載の電子機器において、前記連結機構は、前記外周面に直交する方向に前記枠体に形成されるねじ孔と、前記ブラケットを貫通しつつ前記ねじ孔にねじ込まれるねじとを備えることを特徴とする電子機器。
【請求項３】
請求項１または２に記載の電子機器において、前記ブラケットには、前記裏面に直交する方向にねじ孔が形成されることを特徴とする電子機器。
【請求項４】
請求項１〜３のいずれか１項に記載の電子機器において、前記ブラケットは板金で構成されることを特徴とする電子機器。
【請求項５】
請求項１〜４のいずれか１項に記載の電子機器において、前記付属部品には、前記ディスプレイパネルに接続されるインバータ基板が含まれることを特徴とする電子機器。
【請求項６】
請求項１〜５のいずれか１項に記載の電子機器において、前記収容部材は絶縁材料から構成されることを特徴とする電子機器。
【請求項７】
請求項１〜６のいずれか１項に記載の電子機器において、処理回路を搭載した機器本体を備え、前記筐体は機器本体に揺動自在に連結されることを特徴とする電子機器。
【手続補正２】
【補正対象書類名】明細書
【補正対象項目名】０００３
【補正方法】変更
【補正の内容】
【０００３】
【特許文献１】特開２００３−２９２４４号公報
【特許文献２】特開２００３−１６７２３１号公報
【特許文献３】特開２００１−２５５５１１号公報
【特許文献４】特開２００２−０７２２３７号公報
【特許文献５】特開２００３−０１５１５０号公報
【特許文献６】特開昭６２−２４３３９９号公報
【手続補正３】
【補正対象書類名】明細書
【補正対象項目名】００２９
【補正方法】変更
【補正の内容】
【００２９】
【図１】図１は、電子機器すなわちノートブックパーソナルコンピュータ（ノートパソコン）の全体構成を概略的に示す斜視図である。
【図２】図２は、カバーおよびベースに組み付けられる液晶ディスプレイ（ＬＣＤ）パネルユニットの様子を概略的に示す分解斜視図である。
【図３】図３は、ＬＣＤパネルユニットの構造を概略的に示す分解斜視図である。
【図４】図４は、収容部材が取り付けられた状態のＬＣＤパネルユニットの構造を概略的に示す斜視図である。
【図５】図５は、ＬＣＤパネルに取り付けられるブラケットの構造を概略的に示す斜視図である。
【図６】図６は、ブラケットに収容部材が取り付けられる際に収容部材の様子を概略的に示す部分分解斜視図である。
【図７】図７は、図４の７−７線に沿った断面図であり、ブラケットに収容部材が取り付けられる際に収容部材の様子を概略的に示す図である。
【図８】図８は、収容部材およびインバータ基板の構造を概略的に示す分解斜視図である。
【図９】図９は、ベースに取り付けられる金属板の構造を示すベースの平面図である。
【図１０】図１０は、ブラケットに収容部材が取り付けられる際に収容部材の様子を概略的に示すＬＣＤパネルユニットの斜視図である。
【図１１】図１１は、図７に対応し、ブラケットに収容部材が取り付けられる際に収容部材の様子を概略的に示す断面図である。
【図１２】図１２は、他の実施形態に係る収容部材が取り付けられた状態のＬＣＤパネルユニットの構造を概略的に示す斜視図である。
【手続補正４】
【補正対象書類名】明細書
【補正対象項目名】００４４
【補正方法】変更
【補正の内容】
【００４４】
図９に示されるように、ベース１７には平板状の金属板７１が取り付けられる。金属板７１の両側には、ベース１７の短辺側の側壁に向かって突き出る複数の第１フィン７２が区画される。金属板７１の下側には、ベース１７の長辺側の側壁に向かって突き出る１対の第２フィン７３が区画される。同様に、金属板７１の下側には、ベース１７の長辺側の側壁に向かって突き出る第３フィン７４が区画される。第１および第２フィン７２、７３は、ベース１７から離れる方向に湾曲する。ベース１７では、第３フィン７４に対応する位置に窪み７６が区画される。窪み７６内では、第３フィン７４はベース１７に近づく方向に湾曲する。窪み７６にはＬＣＤパネル２４に取り付けられる収容部材４７が受け入れられる。こうした金属板７１には例えばアルミニウムといった金属材料が用いられればよい。
【手続補正５】
【補正対象書類名】明細書
【補正対象項目名】００４８
【補正方法】変更
【補正の内容】
【００４８】
その後、図７に示されるように、突起部６３ａは板片４５の溝６４に嵌め込まれる。案内路に沿って収容部材４７の移動は規制される。収容部材４７の離脱は阻止される。すなわち、突起部６３ａおよび溝６４は本発明の規制機構として機能する。同時に、第２板片６２は板片４５の側面に受け止められる。このとき、収容部材４７の側壁４７ａは板片４５の先端に向き合わせられる。収容部材４７の動きは規制される。こうして収容部材４７およびブラケット３８の連結は確立される。ブラケット３８および収容部材４７は本発明の取り付け部材ユニットとして機能する。こうしてＬＣＤパネルユニット１９は組み立てられる。